【手続補正書】
【提出日】平成29年10月3日(2017.10.3)
【手続補正１】
【補正対象書類名】明細書
【補正対象項目名】０１１２
【補正方法】変更
【補正の内容】
【０１１２】
本明細書に列挙されている全ての特許、公報および参考文献は、参照として本明細書に完全に組み込まれる。本開示と組み込まれた特許、公報および参考文献との間に対立がある場合、本開示が支配するべきである。
次に、本発明の好ましい態様を示す。
１．  感水性組成物の送達のための遅延放出カプセルであって、前記カプセルは、
（ａ）水溶性ポリマーを含み、内部カプセル体積部を画定するカプセルシェルと、
（ｂ）液体の水および水蒸気の少なくとも１つと接触したときに気体を発生することができる、前記内部カプセル体積部に含有されている感水性組成物と
を含み、
（ｉ）前記カプセルシェルは、約１００μｍ〜約５０００μｍの範囲の壁厚を有し、    （ｉｉ）前記カプセルシェルは、（Ａ）前記内部カプセル体積部と前記カプセルシェルの外部環境との間の気体流体の連通を許容し、（Ｂ）前記内部カプセル体積部と前記外部環境との間の液体流体の連通を制限するようなサイズおよび形状のピンホールを含む、カプセル。
２．  前記内部カプセル体積部が約０．１ｍｌ〜約１００ｍｌの範囲である、上記１に記載のカプセル。
３．  前記壁厚が約２５０μｍ〜約１５００μｍの範囲である、上記１または２のいずれか１項に記載のカプセル。
４．  前記ピンホールが、約１０μｍ〜約１５００μｍの範囲の直径（Ｄ）を有する、上記１から３のいずれか１項に記載のカプセル。
５．  前記ピンホールが、約０．０１〜約１００の範囲のＬ／Ｄ比に対応する長さ（Ｌ）および直径（Ｄ）を有する、上記１から４のいずれか１項に記載のカプセル。
６．  前記カプセルシェルが、実質的に均一の壁厚を有する、上記１から５のいずれか１項に記載のカプセル。
７．  前記カプセルシェル壁が、実質的にカプセルシェルの全体にわたる平均壁厚の約５０％以内の局所厚を有する、上記６に記載のカプセル。
８．  （ｉ）前記カプセルシェルが、前記カプセルシェルと前記内部カプセル体積部とを一緒になって集合的に画定するように接合している２つ以上のカプセルシェル要素を含み、
（ｉｉ）各カプセルシェル要素が、前記水溶性ポリマーを含み、
（ｉｉｉ）少なくとも１つのカプセルシェル要素が、前記ピンホールを含む
上記１から７のいずれか１項に記載のカプセル。
９．  前記水溶性ポリマーが熱成形性である、上記１から８のいずれか１項に記載のカプセル。
１０．  前記水溶性ポリマーが、約４ｃＰ〜約２３ｃＰの範囲の２０℃での４％溶液粘度を有する、上記１から９のいずれか１項に記載のカプセル。
１１．  前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロースおよびその塩、デキストリン、エチルセルロース、ヒドロキシエチルセルロース、ヒドロキシプロピルメチルセルロース、マルトデキストリン、それらのコポリマー、それらのブレンド、およびそれらの組み合わせからなる群から選択される、上記１から１０のいずれか１項に記載のカプセル。
１２．  前記水溶性ポリマーがポリビニルアルコールを含む、上記１から１０のいずれか１項に記載のカプセル。
１３．  前記ポリビニルアルコールが、約７５％〜約９９％の範囲の加水分解度を有する、上記１２に記載のカプセル。
１４．  前記ポリビニルアルコールが、ビニルアルコールモノマー反復単位および酢酸ビニルモノマー反復単位から本質的になるポリビニルアルコールコポリマーを含む、上記１２に記載のカプセル。
１５．  前記ポリビニルアルコールが、ビニルアルコールモノマー反復単位、酢酸ビニルモノマー反復単位および少なくとも１つの他の種類のモノマー反復単位を含むポリビニルアルコールコポリマーを含む、上記１２に記載のカプセル。
１６．  形成された前記カプセルシェルが、約４０℃の温度に加熱された水に水没させたとき、漂白剤適合性方法Ａにより測定して少なくとも約８分間無傷のままである、上記１から１５のいずれか１項に記載のカプセル。
１７．  形成された前記カプセルシェルが、約４０℃の温度に加熱された水に水没させたとき、漂白剤適合性方法Ａにより測定して少なくとも約１２分間無傷のままである、上記１から１５のいずれか１項に記載のカプセル。
１８．  形成された前記カプセルシェルが、約４０℃の温度に加熱された水に水没させたとき、漂白剤適合性方法Ａにより測定して少なくとも約１５分間無傷のままである、上記１から１７のいずれか１項に記載のカプセル。
１９．  前記カプセルが、非加熱洗浄サイクルにおいて約２０℃〜約２５℃の範囲の温度で洗濯物と共に６１分間洗浄されたとき、洗濯物に目に見える残留物を残さない、上記１から１８のいずれか１項に記載のカプセル。
２０．  前記カプセルが、（ｉ）非加熱洗浄サイクルにおいて約２０℃〜約２５℃の範囲の温度で洗濯物と共に６１分間洗浄され、次に（ｉｉ）約２０℃〜約２５℃の範囲の温度で洗濯物と共に３６分間すすがれたとき、洗濯物に目に見える残留物を残さない、上記１から１８のいずれか１項に記載のカプセル。
２１．  前記感水性組成物が、液体の水および水蒸気の少なくとも１つと接触したときに酸素ガスを発生することができる、上記１から２０のいずれか１項に記載のカプセル。
２２．  前記感水性組成物が、８０％相対湿度および３８℃の制御された空気環境と接触したときに気体を発生する、上記１から２１のいずれか１項に記載のカプセル。
２３．  （ｉ）前記感水性組成物が、８０％相対湿度および３８℃の制御空気環境と４週間の試験期間にわたって接触したときに気体を発生し、
（ｉｉ）前記カプセルシェルが試験期間にわたって実質的に変形しない
上記１から２１のいずれか１項に記載のカプセル。
２４．  前記感水性組成物がアルカリ性である、上記１から２３のいずれか１項に記載のカプセル。
２５．  前記感水性組成物が、炭酸塩、ホウ酸塩、リン酸塩、硫酸塩、ケイ酸塩、過炭酸塩、過ホウ酸塩、過リン酸塩、過硫酸塩、過ケイ酸塩、およびそれらの組み合わせからなる群から選択される無機漂白剤を含む、上記１から２４のいずれか１項に記載のカプセル。
２６．  前記無機漂白組成物が、過炭酸ナトリウムおよび炭酸ナトリウムを含む、上記２５に記載のカプセル。
２７．  前記感水性組成物が、漂白活性化剤および漂白触媒の少なくとも１つを更に含む、上記２５から２６のいずれか１項に記載のカプセル。
２８．  前記感水性組成物が粉末形態である、上記１から２７のいずれか１項に記載のカプセル。
２９．  前記感水性組成物が被覆されていない、上記１から２８のいずれか１項に記載のカプセル。
３０．  感水性組成物の送達のための遅延放出カプセルであって、前記カプセルは、
（ａ）ポリビニルアルコールを含み、内部カプセル体積部を画定する水溶性カプセルシェルと、
（ｂ）前記内部カプセル体積部中に含有されており、（ｉ）液体の水および水蒸気の少なくとも１つと接触したときに過酸化水素ガスを発生することができ、（ｉｉ）炭酸塩、ホウ酸塩、リン酸塩、硫酸塩、ケイ酸塩、過炭酸塩、過ホウ酸塩、過リン酸塩、過硫酸塩、過ケイ酸塩、およびこれらの組み合わせからなる群から選択される無機漂白剤が含まれる、感水性組成物と
を含み、
（ｉ）前記カプセルシェルは、約２５０μｍ〜約３０００μｍの範囲の壁厚を有し、    （ｉｉ）前記カプセルシェルは、（Ａ）前記内部カプセル体積部および前記カプセルシェルの外部環境の間の気体流体の連通を許容し、（Ｂ）前記内部カプセル体積部および前記外部環境の間の液体流体の連通を制限するようなサイズおよび形状のピンホールを含む、カプセル。
３１．  前記カプセルシェルが、約２５０μｍ〜約１５００μｍの範囲の実質的に均一の壁厚を有する、上記３０に記載のカプセル。
３２．  前記感水性組成物が、漂白活性化剤および漂白触媒の少なくとも１つを更に含む、上記３０から３１のいずれか１項に記載のカプセル。
３３．  （ａ）水溶性フィルムを含む水溶性パウチであって、（ｉ）内部パウチ体積部を画定し、（ｉｉ）前記内部パウチ体積部と前記水溶性パウチの外部環境との間の流体連通を許容するサイズおよび形状のピンホールを画定している水溶性パウチと、
（ｂ）前記カプセルシェルピンホールが、前記水溶性パウチピンホールと流体連通する、前記内部パウチ体積に含有されている上記１から３２のいずれか１項に記載のカプセルと、
（ｃ）前記内部パウチ体積部に含有されている洗濯洗剤組成物と
を含む、物品。
３４．  （ｉ）前記内部パウチ体積部が、少なくとも、（Ａ）第１の区画、および前記第１の区画から物理的に隔てられている（Ｂ）第２の区画を含み、
（ｉｉ）前記第１の区画は、前記パウチピンホールを画定し、前記カプセルを含有し、  （ｉｉｉ）前記第２の区画は、前記洗濯洗剤組成物を含有する
上記３３に記載の物品。
３５．  前記水溶性フィルムが、前記カプセルシェルの前記水溶性ポリマーと同じであっても異なっていてもよい水溶性ポリマーを含む、上記３３または３４に記載の物品。
３６．  洗濯物を洗浄する方法であって、
（ａ）（ｉ）水、（ｉｉ）洗濯物、（ｉｉｉ）洗濯洗剤組成物、および（ｉｖ）上記１から３１のいずれか１項に記載のカプセルを含む水性洗浄媒体を洗浄容器内で形成するステップであって、前記感水性組成物が無機漂白組成物を含むステップと、
（ｃ）前記水性洗浄媒体中で前記洗濯物を洗浄するステップであって、前記感水性組成物が、少なくとも約１０分の洗浄サイクル遅延時間に達するまで、前記カプセルから前記水性洗浄媒体に放出されないステップ
を含む、前記方法。
３７．  前記カプセルおよび前記洗濯洗剤組成物が、上記３３から３５のいずれか１項に記載の物品の形態で前記洗浄容器に添加される、上記３６に記載の方法。
３８．  洗浄が終了した前記洗濯物には、前記カプセルシェルの溶解によってもたらされる目に見える残留物がない、上記３６または３７に記載の方法。
３９．  前記洗浄サイクル遅延時間が少なくとも約１５分間である、上記３６から３８のいずれか１項に記載の方法。
４０．  水性液体媒体への感水性組成物の遅延放出の方法であって、
（ａ）上記１から３２のいずれか１項に記載のカプセルを準備するステップであって、前記感水性組成物が清浄組成物を含むステップと、
（ｂ）前記カプセルを、水を含む水性液体媒体に加えるステップと、
（ｃ）前記カプセルシェルを溶解させて、前記清浄組成物を前記水性液体媒体中に放出させるステップであって、前記清浄組成物が、前記カプセルを前記水性液体媒体へ加えた後に、選択された遅延時間に達するまで前記カプセルから前記水性液体媒体に放出されないステップと
を含む、方法。
４１．  前記遅延時間が少なくとも約１０分間である、上記４０に記載の方法。
４２．  前記遅延時間が少なくとも約１５分間である、上記４０に記載の方法。
４３．  水溶性ポリマーを含み、内部カプセル体積部を画定するカプセルシェルを含む遅延放出カプセルであって、
（ｉ）前記カプセルシェルは、約１００μｍ〜約５０００μｍの範囲の壁厚を有し、
（ｉｉ）前記カプセルシェルは、（Ａ）前記内部カプセル体積部と前記カプセルシェルの外部環境との間の気体流体の連通を許容し、（Ｂ）前記内部カプセル体積部と前記外部環境との間の液体流体の連通を制限するようなサイズおよび形状のピンホールを含み、
（ｉｉ）前記カプセルシェルは、実質的に均一の壁厚を有する、
遅延放出カプセル。
４４．  前記内部カプセル体積部が、約０．１ｍｌ〜約１００ｍｌの範囲である、上記４３に記載のカプセル。
４５．  前記壁厚が約２５０μｍ〜約１５００μｍの範囲である、上記４３または４４のいずれか１項に記載のカプセル。
４６．  前記ピンホールが、約１０μｍ〜約１５００μｍの範囲の直径（Ｄ）を有する、上記４３から４５のいずれか１項に記載のカプセル。
４７．  前記ピンホールが、約０．０１〜約１００の範囲のＬ／Ｄ比に対応する長さ（Ｌ）および直径（Ｄ）を有する、上記４３から４６のいずれか１項に記載のカプセル。
４８．  前記カプセルシェル壁が、実質的にカプセルシェルの全体にわたる平均壁厚の約５０％以内の局所厚を有する、上記４３から４７のいずれか１項に記載のカプセル。
４９．  （ｉ）前記カプセルシェルが、前記カプセルシェルと前記内部カプセル体積部とを一緒になって集合的に画定するように接合している２つ以上のカプセルシェル要素を含み、
（ｉｉ）各カプセルシェル要素が、前記水溶性ポリマーを含み、
（ｉｉｉ）少なくとも１つのカプセルシェル要素が、前記ピンホールを含む
上記４３から４８のいずれか１項に記載のカプセル。
【手続補正２】
【補正対象書類名】特許請求の範囲
【補正対象項目名】全文
【補正方法】変更
【補正の内容】
【特許請求の範囲】
【請求項１】
感水性組成物の送達のための遅延放出カプセルであって、前記カプセルは、
（ａ）水溶性ポリマーを含み、内部カプセル体積部を画定するカプセルシェルと、
（ｂ）液体の水および水蒸気の少なくとも１つと接触したときに気体を発生することができる、前記内部カプセル体積部に含有され前記カプセルシェルの壁と接している感水性組成物と
を含み、
（ｉ）前記カプセルシェルは、約５００μｍ〜約５０００μｍの範囲の壁厚を有し、
（ｉｉ）前記カプセルシェルは、（Ａ）前記内部カプセル体積部と前記カプセルシェルの外部環境との間の気体流体の連通を許容し、（Ｂ）前記内部カプセル体積部と前記外部環境との間の液体流体の連通を制限するようなサイズおよび形状のピンホールを含み、
（ｉｉｉ）前記カプセルシェルが、前記カプセルシェルと前記内部カプセル体積部とを一緒になって集合的に画定するように摺動係合して接合している２つ以上のカプセルシェル要素を含み、
（ｉｖ）各カプセルシェル要素が、前記水溶性ポリマーを含み、
（ｖ）少なくとも１つのカプセルシェル要素が、前記ピンホールを含む、カプセル。
【請求項２】
前記壁厚が約５００μｍ〜約１５００μｍの範囲である、請求項１に記載のカプセル。
【請求項３】
前記水溶性ポリマーが、約４ｃＰ〜約２３ｃＰの範囲の２０℃での４％溶液粘度を有する、請求項１または２に記載のカプセル。
【請求項４】
前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロースおよびその塩、デキストリン、エチルセルロース、ヒドロキシエチルセルロース、ヒドロキシプロピルメチルセルロース、マルトデキストリン、それらのコポリマー、それらのブレンド、およびそれらの組み合わせからなる群から選択される、請求項１から３のいずれか１項に記載のカプセル。
【請求項５】
前記水溶性ポリマーがポリビニルアルコールを含み、前記ポリビニルアルコールが、ビニルアルコールモノマー反復単位および酢酸ビニルモノマー反復単位から本質的になるポリビニルアルコールコポリマーを含む、請求項１から３のいずれか１項に記載のカプセル。
【請求項６】
前記水溶性ポリマーがポリビニルアルコールを含み、前記ポリビニルアルコールが、ビニルアルコールモノマー反復単位、酢酸ビニルモノマー反復単位および少なくとも１つの他の種類のモノマー反復単位を含むポリビニルアルコールコポリマーを含む、請求項１から３のいずれか１項に記載のカプセル。
【請求項７】
前記感水性組成物が、液体の水および水蒸気の少なくとも１つと接触したときに酸素ガスを発生することができる、請求項１から６のいずれか１項に記載のカプセル。
【請求項８】
（ｉ）前記感水性組成物が、８０％相対湿度および３８℃の制御空気環境と４週間の試験期間にわたって接触したときに気体を発生し、
（ｉｉ）前記カプセルシェルが試験期間にわたって実質的に変形しない
請求項１から７のいずれか１項に記載のカプセル。
【請求項９】
前記感水性組成物が、炭酸塩、ホウ酸塩、リン酸塩、硫酸塩、ケイ酸塩、過炭酸塩、過ホウ酸塩、過リン酸塩、過硫酸塩、過ケイ酸塩、およびそれらの組み合わせからなる群から選択される無機漂白剤を含む、請求項１から８のいずれか１項に記載のカプセル。
【請求項１０】
前記無機漂白組成物が、過炭酸ナトリウムおよび炭酸ナトリウムを含む、請求項９に記載のカプセル。
【請求項１１】
前記感水性組成物が、漂白活性化剤および漂白触媒の少なくとも１つを更に含む、請求項９または１０に記載のカプセル。
【請求項１２】
前記感水性組成物が粉末形態である、請求項１から１１のいずれか１項に記載のカプセル。
【請求項１３】
前記感水性組成物が被覆されていない、請求項１から１２のいずれか１項に記載のカプセル。
【請求項１４】
感水性組成物の送達のための遅延放出カプセルであって、前記カプセルは、
（ａ）ポリビニルアルコールを含み、内部カプセル体積部を画定する水溶性カプセルシェルと、
（ｂ）前記内部カプセル体積部中に含有され前記カプセルシェルの壁と接しており、（ｉ）液体の水および水蒸気の少なくとも１つと接触したときに過酸化水素ガスを発生することができ、（ｉｉ）炭酸塩、ホウ酸塩、リン酸塩、硫酸塩、ケイ酸塩、過炭酸塩、過ホウ酸塩、過リン酸塩、過硫酸塩、過ケイ酸塩、およびこれらの組み合わせからなる群から選択される無機漂白剤が含まれる、感水性組成物と
を含み、
（ｉ）前記カプセルシェルは、約５００μｍ〜約３０００μｍの範囲の壁厚を有し、
（ｉｉ）前記カプセルシェルは、（Ａ）前記内部カプセル体積部および前記カプセルシェルの外部環境の間の気体流体の連通を許容し、（Ｂ）前記内部カプセル体積部および前記外部環境の間の液体流体の連通を制限するようなサイズおよび形状のピンホールを含み、
（ｉｉｉ）前記カプセルシェルが、前記カプセルシェルと前記内部カプセル体積部とを一緒になって集合的に画定するように摺動係合して接合している２つ以上のカプセルシェル要素を含み、
（ｉｖ）各カプセルシェル要素が、ポリビニルアルコールを含み、
（ｖ）少なくとも１つのカプセルシェル要素が、前記ピンホールを含む、カプセル。
【請求項１５】
前記感水性組成物が、漂白活性化剤および漂白触媒の少なくとも１つを更に含む、請求項１４に記載のカプセル。
【請求項１６】
（ａ）水溶性フィルムを含む水溶性パウチであって、（ｉ）内部パウチ体積部を画定し、（ｉｉ）前記内部パウチ体積部と前記水溶性パウチの外部環境との間の流体連通を許容するサイズおよび形状のピンホールを画定している水溶性パウチと、
（ｂ）前記カプセルシェルピンホールが、前記水溶性パウチピンホールと流体連通する、前記内部パウチ体積に含有されている請求項１から１５のいずれか１項に記載のカプセルと、
（ｃ）前記内部パウチ体積部に含有されている洗濯洗剤組成物と
を含み、
（ｉ）前記内部パウチ体積部が、少なくとも、（Ａ）第１の区画、および前記第１の区画から物理的に隔てられている（Ｂ）第２の区画を含み、
（ｉｉ）前記第１の区画は、前記パウチピンホールを画定し、前記カプセルを含有し、
（ｉｉｉ）前記第２の区画は、前記洗濯洗剤組成物を含有する、物品。
【請求項１７】
洗濯物を洗浄する方法であって、
（ａ）（ｉ）水、（ｉｉ）洗濯物、（ｉｉｉ）洗濯洗剤組成物、および（ｉｖ）請求項１から１４のいずれか１項に記載のカプセルを含む水性洗浄媒体を洗浄容器内で形成するステップであって、前記感水性組成物が無機漂白組成物を含むステップと、
（ｃ）前記水性洗浄媒体中で前記洗濯物を洗浄するステップであって、前記感水性組成物が、少なくとも約１０分の洗浄サイクル遅延時間に達するまで、前記カプセルから前記水性洗浄媒体に放出されないステップ
を含む、前記方法。
【請求項１８】
洗浄が終了した前記洗濯物には、前記カプセルシェルの溶解によってもたらされる目に見える残留物がない、請求項１７に記載の方法。
【請求項１９】
水性液体媒体への感水性組成物の遅延放出の方法であって、
（ａ）請求項１から１５のいずれか１項に記載のカプセルを準備するステップであって、前記感水性組成物が清浄組成物を含むステップと、
（ｂ）前記カプセルを、水を含む水性液体媒体に加えるステップと、
（ｃ）前記カプセルシェルを溶解させて、前記清浄組成物を前記水性液体媒体中に放出させるステップであって、前記清浄組成物が、前記カプセルを前記水性液体媒体へ加えた後に、選択された遅延時間に達するまで前記カプセルから前記水性液体媒体に放出されないステップと
を含む、方法。
【請求項２０】
（ａ）水溶性ポリマーを含み、内部カプセル体積部を画定するカプセルシェルと、
（ｂ）液体の水および水蒸気の少なくとも１つと接触したときに気体を発生することができる、前記内部カプセル体積部に含有され前記カプセルシェルの壁と接している感水性組成物とを含む遅延放出カプセルであって、
（ｉ）前記カプセルシェルは、約５００μｍ〜約５０００μｍの範囲の壁厚を有し、
（ｉｉ）前記カプセルシェルは、（Ａ）前記内部カプセル体積部と前記カプセルシェルの外部環境との間の気体流体の連通を許容し、（Ｂ）前記内部カプセル体積部と前記外部環境との間の液体流体の連通を制限するようなサイズおよび形状のピンホールを含み、
（ｉｉｉ）前記カプセルシェルは、前記カプセルシェルの壁が、実質的にカプセルシェルの全体にわたる平均壁厚の約５０％以内の局所厚を有するように実質的に均一の壁厚を有し、
（ｖｉ）前記カプセルシェルが、前記カプセルシェルと前記内部カプセル体積部とを一緒になって集合的に画定するように摺動係合して接合している２つ以上のカプセルシェル要素を含み、
（ｖ）各カプセルシェル要素が、前記水溶性ポリマーを含み、
（ｉｖ）少なくとも１つのカプセルシェル要素が、前記ピンホールを含む、
遅延放出カプセル。